(57)【要約】    【課題】球衝突体の下部側の滑り性をよくして、球衝突体とその下側の遊技部品との間での遊技球の噛み込みの発生を防止できるようにする。    【解決手段】遊技盤１０の前面に、遊技部品２１が配置された遊技領域１３と、遊技領域１３へと遊技球を誘導するガイドレール１１と、遊技領域１３の上部に配置され且つガイドレール１１により遊技領域１３へと誘導された遊技球が衝突する球衝突体３４とを備え、球衝突体３４の下部に球滑り部４７を設けている。球衝突体３４は、その上部に弾性を有する第１球衝突部４５を備え、第１球衝突部４５の下側に遊技球の滑り性のよい第２球衝突部４６を備えている。【選択図】  図３
2011045633.tif 000002
【特許請求の範囲】
【請求項１】
遊技盤（１０）の前面に、遊技部品（２１）が配置された遊技領域（１３）と、該遊技領域（１３）へと遊技球を誘導するガイドレール（１１）と、前記遊技領域（１３）の上部に配置され且つ前記ガイドレール（１１）により前記遊技領域（１３）へと誘導された遊技球が衝突する球衝突体（３４）とを備えた弾球遊技機において、前記球衝突体（３４）の下部に球滑り部（４７）を設けたことを特徴とする弾球遊技機。
【請求項２】
前記球衝突体（３４）は、その上部に弾性を有する第１球衝突部（４５）を、該第１球衝突部（４５）の下側に遊技球の滑り性のよい第２球衝突部（４６）を夫々備えたことを特徴とする請求項１に記載の弾球遊技機。
【請求項３】
前記第１球衝突部（４５）は遊技球が略直角又は略直角に近い角度で衝突する衝突面（５０）を有することを特徴とする請求項２に記載の弾球遊技機。
【請求項４】
前記遊技領域（１３）に対して前記ガイドレール（１１）と反対側に配置された飾り部材（１２）に前記球衝突体（３４）用の取り付け部（４２）と、該取り付け部（４２）と前後に相対応して前記遊技盤（１０）の前面に当接する挟持部（４８）との間に前記各球衝突部（４５，４６）を配置したことを特徴とする請求項２又は３に記載の弾球遊技機。
【請求項５】
前記第２球衝突部（４６）に前記挟持部（４８）を一体に備え、前記取り付け部（４２）に前記第２球衝突部（４６）内に嵌合する取り付け用突起（４４）を設け、前記挟持部（４８）側から前記取り付け用突起（４４）に螺合するネジ（４９）により前記第２球衝突部（４６）と前記挟持部（４８）とを固定し、前記第１球衝突部（４５）の通孔（５１）に前後両端部に嵌合する突起（４３，５６）を前記取り付け部（４２）と前記挟持部（４８）とに設けたことを特徴とする請求項４に記載の弾球遊技機。
【発明の詳細な説明】
【技術分野】
【０００１】
本発明は、パチンコ機、アレンジボール機等の弾球遊技機に関するものである。
【背景技術】
【０００２】
パチンコ機では、遊技盤の前面にガイドレール及び飾り部材を周方向に配置して形成された遊技領域内に、センターケースを有する画像表示手段、可変入賞手段、図柄始動手段等の複数個の遊技部品を配置しておき、発射手段により発射された遊技球をガイドレールを経て遊技領域の上部側へと誘導し、その遊技球を遊技領域の上部に配置された球衝突体に衝突させた後、遊技領域内を遊技球が落下するようにしている。
【０００３】
球衝突体は遊技領域に対してガイドレールと反対側の上部に配置されている。そして、この球衝突体はゴム等の弾性部材により構成されており、ガイドレールからの遊技球を上下方向の略平坦状に形成された衝突面に衝突させて、衝撃を吸収しながら遊技領域内へと斜め下方に跳ね返すようにしている（特許文献１、２）。
【先行技術文献】
【特許文献】
【０００４】
【特許文献１】特開平１１−９０００３号公報
【特許文献２】特開２００５−１３０９３６号公報
【発明の概要】
【発明が解決しようとする課題】
【０００５】
近年のパチンコ機には、通常はセンターケースの左側の左打ち通路に遊技球を集中させる左打ちを行い、或る遊技状態になれば球衝突体に遊技球を衝突させながらセンターケースの右側の右打ち通路に遊技球を集中させる右打ちを行うようにしたものがある。
【０００６】
しかし、従来の球衝突体には摩擦力の大きいゴム等の弾性部材により構成されているため、球衝突体とセンターケースとの間の球通過領域が狭い場合には、右打ち時にその狭い球通過領域に複数個の遊技球が集中した場合に、その球通過領域で遊技球の噛み込みが発生する原因となっている。
【０００７】
即ち、ゴム等の弾性部材により構成された球衝突体の摩擦力が大きく滑りが悪いために、球衝突体とセンターケースとの間の狭い球通過領域に複数個の遊技球が集中した場合、球衝突体の表面に接触した状態で遊技球が留まってしまい、これによって球通過領域で遊技球の噛み込みが発生する惧れがある。
【０００８】
本発明は、このような従来の問題点に鑑み、球衝突体の下部側の滑り性をよくして、球衝突体とその下側の遊技部品との間での遊技球の噛み込みの発生を防止できる弾球遊技機を提供することを目的とする。
【課題を解決するための手段】
【０００９】
本発明は、遊技盤１０の前面に、遊技部品２１が配置された遊技領域１３と、該遊技領域１３へと遊技球を誘導するガイドレール１１と、前記遊技領域１３の上部に配置され且つ前記ガイドレール１１により前記遊技領域１３へと誘導された遊技球が衝突する球衝突体３４とを備えた弾球遊技機において、前記球衝突体３４の下部に球滑り部４７を設けたものである。
【発明の効果】
【００１０】
本発明によれば、球衝突体３４の下部に球滑り部４７を設けているので、球衝突体３４の下部側の滑り性が向上して、球衝突体３４とその下側の遊技部品２１との間での遊技球の噛み込みの発生を未然に防止できる利点がある。
【図面の簡単な説明】
【００１１】
【図１】本発明の第１の実施形態を示すパチンコ機の正面図である。
【図２】同遊技盤の右上部の拡大正面図である。
【図３】同要部の背面図である。
【図４】図３のＸ−Ｘ線断面図である。
【図５】同要部の分解斜視図である。
【図６】同要部の正面断面図である。
【図７】本発明の第２の実施形態を示す要部の正面断面図である。
【図８】本発明の第３の実施形態を示す要部の斜視図である。
【図９】同要部の正面断面図である。
【図１０】図９のＹ−Ｙ線断面図である。
【図１１】本発明の第４の実施形態を示す要部の斜視図である。
【図１２】同要部の正面断面図である。
【図１３】図１２のＺ−Ｚ線断面図である。
【発明を実施するための形態】
【００１２】
以下、本発明の第１の実施形態を図面に基づいて詳述する。図１〜図６は本発明をパチンコ機に採用した第１の実施形態を例示する。パチンコ機は、図１に示すように、矩形状の外枠１と、この外枠１の前側にヒンジ２により縦軸廻りに開閉自在に枢着された前枠３とを備えている。前枠３の前側にはガラス扉４と前面板５とが上下に配置され、前枠３に対してヒンジ２と同じ側のヒンジ６により縦軸廻りに開閉自在に枢支されている。
【００１３】
前面板５の前側には発射用の遊技球を貯留する球供給皿７が配置され、その側方に遊技球を発射する発射手段（図示省略）の発射ハンドル８が設けられている。ガラス扉４の裏側には、このガラス扉４に対応するように前枠３に遊技盤１０が着脱自在に装着されている。
【００１４】
遊技盤１０の前面には、発射手段から発射された遊技球を誘導するガイドレール１１と、略円弧状の飾り部材１２とが周方向に装着され、そのガイドレール１１と飾り部材１２との内側が遊技領域１３となっている。
【００１５】
遊技領域１３には画像表示手段１４、普通図柄始動手段１５、第１特別図柄始動手段１６、第２特別図柄始動手段１７、大当たり用の開閉入賞手段１８、複数個の普通入賞手段１９，２０等の各種の遊技部品が配置されている。
【００１６】
画像表示手段１４は遊技領域１３の略中央上部に配置されたセンターケース２１と、このセンターケース２１の表示窓２２に対応してセンターケース２１の裏側に装着された液晶式等の画像表示部２３とを備え、その画像表示部２３に遊技画像を表示するようになっている。センターケース２１は遊技盤１０の前面に装着された前飾り板２４と、表示窓２２の外周で前飾り板２４から前側に突出する突出部２５とを有する。
【００１７】
遊技領域１３はセンターケース２１の頂部を境界として左側が左打ち通路２７となり、右側が右打ち通路２８となっている。センターケース２１は画像表示部２３の左側よりも右側が大きくなっており、左打ち通路２７に比べて右打ち通路２８が狭くなっている。センターケース２１の前飾り板２４は薄い板状であり、突出部２５の外周側であればその前面を遊技球が通過可能である。
【００１８】
画像表示手段１４の下側の左右略中央には、第１特別図柄始動手段１６と第２特別図柄始動手段１７とアウト球口２９とがその順で上下方向に配置されている。画像表示手段１４の左右両側には、画像表示手段１４との間に複数個の普通入賞手段１９が配置されている。
【００１９】
画像表示手段１４の右下側には、画像表示手段１４との間に右打ち通路２８を置いて遊技領域１３の外周縁に沿って装飾体３０が円弧状に配置されている。装飾体３０の上端側には球案内板３１と普通図柄始動手段１５とが、下端側には普通入賞手段２０が夫々設けられ、また中間に開閉入賞手段１８が設けられている。
【００２０】
飾り部材１２の上部側には、図２に示すように、特別図柄表示手段３３と球衝突体３４とが設けられている。即ち、飾り部材１２の上部側は、図３〜図６に示すように、球衝突体３４の上下両側に円弧状に配置された上周壁３６及び下周壁３７と、球衝突体３４の外側で上周壁３６及び下周壁３７を上下に連結し且つ球衝突体３４に遊技球が衝突したときの衝撃を受ける受担壁３５と、上周壁３６及び下周壁３７を外周側で連結する補強壁３８と、上周壁３６、下周壁３７、受担壁３５及び補強壁３８の前端側を連結する前面壁３９とを一体に有する。なお、上周壁３６、下周壁３７、受担壁３５及び補強壁３８の後端は遊技盤１０に当接している。特別図柄表示手段３３は前面壁３９に装着されている。
【００２１】
飾り部材１２の受担壁３５、上周壁３６、下周壁３７等はガイドレール１１と略同程度の前後幅を有し、その上周壁３６はガイドレール１１の略円弧上に配置され、下周壁３７は上周壁３６よりも内側に配置されている。受担壁３５は略上下方向に配置され、その上下両端に上周壁３６、下周壁３７が接続されている。従って、上周壁３６と下周壁３７は受担壁３５を介して遊技領域１３の内外方向に段違い状になっている。
【００２２】
飾り部材１２はその裏側に一体に形成された複数個の圧入突起４０を遊技盤１０の圧入孔に圧入することにより、遊技盤１０に着脱自在に固定されている。なお、飾り部材１２は圧入以外の装着手段により装着してもよい。
【００２３】
球衝突体３４はガイドレール１１により誘導された遊技球を衝突させて遊技領域１３内に跳ね返すためのストッパーを構成するもので、図３〜図６に示すように、上周壁３６と受担壁３５とに跨がって設けられた取り付け部４２の裏側に、上周壁３６と受担壁３５とに沿って着脱自在に固定されている。取り付け部４２は板状であって、飾り部材１２の前端側に前面壁３９と一体に設けられており、この取り付け部４２の裏面側には上部側に短い突起４３が、下部側に長い取り付け用突起４４が後向きに突出して一体に形成されている。
【００２４】
球衝突体３４はガイドレール１１により遊技領域１３の上部側へと誘導された遊技球のうち、勢いの強い遊技球が衝突する第１球衝突部４５と、この第１球衝突部４５の下側に配置され且つ勢いの弱い遊技球が衝突する第２球衝突部４６とを備えている。そして、第２球衝突部４６の遊技球と接触する部分の表面によって、遊技球の滑り易い球滑り部４７が構成されている。なお、球滑り部４７は球衝突体３４の下部の第２球衝突部４６により構成されている。
【００２５】
第１球衝突部４５、第２球衝突部４６は、飾り部材１２の前端側の取り付け部４２と、この取り付け部４２に対応して遊技盤１０の前面に当接する挟持部４８との間で前後両側から挟持され、取り付け用突起４４、ネジ４９等により取り付け部４２に着脱自在に固定されている。
【００２６】
第１球衝突部４５は耐摩耗性及び弾性を有し衝撃吸収性のよいゴム等の弾性部材により構成されており、図３〜図６に示すように、勢いの強い遊技球が略直角又は略直角に近い角度でａ矢示方向に衝突する第１衝突面５０と、略中央部に前後方向に貫通して形成された通孔５１とを有し、その上端側が上周壁３６に形成された凹部５２に下側から嵌合し、また通孔５１の前端部に取り付け部４２の突起４３が嵌合している。
【００２７】
第２球衝突部４６は第１球衝突部４５よりも十分に大きい剛性を有し摩擦力が小さく滑り性のよい合成樹脂材等の剛性部材により構成されており、略上下方向に平坦状に形成された第２衝突面５３を有する。第２衝突面５３は勢いの弱い遊技球が第１衝突面５０よりも小さい角度で斜め上方からｂ矢示方向に鋭角方向に衝突して、その遊技球を斜め下方へと跳ね返すようになっている。
【００２８】
この第２球衝突部４６には、図３〜図６に示すように、その後端側から上方に突出する板状の挟持部４８が一体に設けられると共に、取り付け用突起４４が嵌合する嵌合孔５４が略中央部に前後方向に形成され、その取り付け用突起４４に挟持部４８の取り付け孔５５に挿通されたネジ４９が螺合されている。
【００２９】
挟持部４８の上部側には第１球衝突部４５の通孔５１の後側部分に嵌合する短い突起５６が前向きに設けられている。従って、弾性部材により構成された第１球衝突部４５は、取り付け部４２と挟持部４８との間で前後両側から挟持されて、その通孔５１の前後両端部に嵌合する突起４３，５６により保持されている。そして、勢いの強い遊技球が第１衝突面５０に頻繁に衝突する第１球衝突部４５の内部は、突起４３，５６間の通孔５１により中空状になっている。
【００３０】
第１球衝突部４５、第２球衝突部４６、挟持部４８は飾り部材１２の受担壁３５に当接しており、球衝突体３４に遊技球が衝突したときの衝撃を受担壁３５を介して飾り部材１２により受けるようになっている。なお、第１球衝突部４５の第１衝突面５０の下側の下側面５７は球衝突体３４の上側近傍における上周壁３６の傾斜角度と略同じであり、第１衝突面５０と下側面５７は略直角である。また第１球衝突部４５の下面５８は第２球衝突部４６の上面５９に当接している。なお、第１衝突面５０と下側面５７は鋭角又は鈍角をなしてもよい。
【００３１】
この実施形態では、次のような利点がある。ゲームに際して発射手段により発射された遊技球はガイドレール１１を経て遊技領域１３の上部側へと案内される。そして、遊技球を右打ち通路２８に集中させる右打ちを行う場合には、遊技球を球衝突体３４に衝突させる等、センターケース２１の頂部よりも右側へと遊技球を打ち込む。
【００３２】
この右打ち時に勢いの強い遊技球はガイドレール１１から上周壁３６を経て球衝突体３４の第１球衝突部４５に衝突し、また勢いの弱い遊技球はガイドレール１１の終端側でガイドレール１１から下に離れて球衝突体３４の第２球衝突部４６に衝突して、これら第１球衝突部４５及び第２球衝突部４６で跳ね返された後、センターケース２１と飾り部材１２との間を右打ち通路２８内を経て落下して行く。
【００３３】
勢いの強い遊技球は球衝突体３４の上部側の第１球衝突部４５に衝突するが、この第１球衝突部４５は衝撃の吸収性のよいゴム等の弾性部材により構成されているので、遊技球の衝撃を十分に吸収することができる。また遊技球は第１球衝突部４５の第１衝突面５０に対して略直角又はそれに近い状態で衝突するため、この第１球衝突部４５での衝撃の吸収性が非常に良好である。
【００３４】
しかも、第１球衝突部４５がゴム等の弾性部材により構成されているだけでなく、通孔５１の前後両端部に突起４３，５６が嵌合しており、その突起４３，５６間が通孔５１によって中空状になっているため、第１球衝突部４５が中実状である場合に比較して衝撃の吸収性が更に向上する。
【００３５】
ゴム等の弾性を有する第１球衝突部４５は球衝突体３４の上部に配置し、その下側の第２球衝突部４６は遊技球の滑り性のよい剛性部材で構成しているので、球衝突体３４とセンターケース２１との間の球通過領域が狭い場合でも、球衝突体３４の下側での遊技球の噛み込みを容易に防止することができる。
【００３６】
即ち、狭い球通過領域に複数個の遊技球が集中しても、摩擦力が小さく遊技球の滑り性のいい材料により第２球衝突部４６自体が構成されているので、従来のように球衝突体３４に接触した状態で遊技球が止まってブリッジ状になるようなことはない。このため、球通過領域での遊技球の噛み込みを未然に防止できる。
【００３７】
また第２球衝突部４６は第１球衝突部４５の下側にあって、この第２球衝突部４６に衝突する遊技球は、ガイドレール１１の終端側で失速した勢いのない遊技球であるため、遊技球の滑り性のよい材料で第２球衝突部４６を構成しているにも拘わらず、第２球衝突部４６に衝突後の遊技球がセンターケース２１等に衝突しても、それによってセンターケース２１等が損傷する惧れもない。
【００３８】
更に遊技領域１３に対してガイドレール１１と反対側に配置された飾り部材１２の取り付け部４２と、この取り付け部４２と相対応して遊技盤１０の前面に当接する挟持部４８との間に各突起４３，５６を配置しているので、飾り部材１２に対して球衝突体３４を容易に固定できる。
【００３９】
第２球衝突部４６に挟持部４８を一体に備え、取り付け部４２に第２球衝突部４６内に嵌合する取り付け用突起４４を設け、挟持部４８側から取り付け用突起４４に螺合するネジ４９により第２球衝突部４６と挟持部４８とを取り付け部４２に固定し、第１球衝突部４５の通孔５１に前後両端部に嵌合する突起４３，５６を取り付け部４２と挟持部４８とに設けているため、簡単な構造で第２球衝突部４６と挟持部４８とを取り付け部４２に固定できると共に、弾性部材により構成された第１球衝突部４５を取り付け部４２と挟持部４８とで前後方向に挟持しながら確実に支持できる。
【００４０】
また取り付け部４２と挟持部４８との間で第１球衝突部４５を挟持するだけでなく、その通孔５１の前後両側に突起４３，５６が嵌合しているので、飾り部材１２を遊技盤１０に固定する前の状態でも、その第１球衝突部４５の脱落を防止することができる。
【００４１】
更に第１球衝突部４５は勢いの強い遊技球が頻繁に衝突するため、取り付け部４２又は挟持部４８から突出する長い突起を第１球衝突部４５の通孔５１に挿入して第１球衝突部４５を支持する構造を採用した場合には、遊技球が第１球衝突部４５に衝突したときの大きな衝撃がその突起に加わってその基部が折損する惧れがある。
【００４２】
しかし、取り付け部４２及び挟持部４８の第１球衝突部４５に対応する突起４３，５６の長さを短くし、この突起４３，５６が第１球衝突部４５の通孔５１の前後両端部に嵌合するよう構成することにより、遊技球が第１球衝突部４５に衝突したときの衝撃を第１球球衝突部４５を介して受担壁３５で受けることができる。従って、上部側にある第１球衝突部４５には、勢いの強い遊技球が頻繁に衝突するにも拘らず、その衝撃によって突起４３，５６が損傷するようなこともない。
【００４３】
しかも球衝突体３４の第２球衝突部４６を飾り部材１２と一体に構成することも可能であるが、第２球衝突部４６、挟持部４８を飾り部材１２から分離して、その取り付け部４２に球衝突体３４を固定することにより、第１球衝突部４５と第２球衝突部４６との比率が異なる球衝突体３４を使用する場合にも、その飾り部材１２を共通部品として使用できる。
【００４４】
例えば第１球衝突部４５の上下方向の寸法、第１球衝突部４５に使用する弾性材料等は、球衝突体３４とセンターケース２１との間の間隔等と関連しており、その間隔等が異なる場合には、それに応じた球衝突体３４を準備する必要がある。飾り部材１２と球衝突体３４とを別構造としておくことにより、このような場合にも飾り部材１２を共通部品として使用することが可能となり、製作コストを低減できる利点がある。
【００４５】
図７は本発明の第２の実施形態を例示する。この実施形態では、各球衝突部４５，４６の衝突面５０，５３は上下方向の略同一面上に設けられている。なお、各球衝突部４５，４６の材質等、他の構成は第１の実施形態と同様である。
【００４６】
このように第１球衝突部４５の第１衝突面５０と第２球衝突部４６の第２衝突面５３は略同一面上に配置してもよいし、両者を略平行に設けてもよい。従って、第１球衝突部４５の第１衝突面５０と第２球衝突部４６の第２衝突面５３は、第１の実施形態に限定されるものではない。
【００４７】
図８〜図１０は本発明の第３の実施形態を例示する。この実施形態では、第１球衝突部４５はその弾性材料、第１衝突面５０の形状等が第１の実施形態と同様であり、この第１球衝突部４５の下側に、第１球衝突部４５から一体に下方に延びる前後一対の延出部６１が設けられ、この延出部６１間に滑り性のよい剛性材料により形成された第２球衝突部４６が挟まれている。
【００４８】
第２球衝突部４６は遊技盤１０から遊技球の半径に対応する位置を基準に前後方向に所定幅を有し、遊技盤１０の前面に沿って飛行する遊技球が衝突する位置に設けられており、その第２衝突面５３及び下面は延出部６１よりも突出するか、延出部６１の面と略面一状になっている。なお、第２衝突面５３は延出部６１よりも若干凹んで設けてもよい。
【００４９】
第２球衝突部４６、延出部６１には、取り付け部４２の取り付け用突起４４が嵌合する嵌合孔５４が形成され、また挟持部４８は第２球衝突部４６と別構造であり、取り付け用突起４４に螺合するネジ４９により取り付け部４２に固定されている。他の構成は第１の実施形態と同様である。
【００５０】
このように第２球衝突部４６は、球衝突体３４の前後方向の全幅のうち、その一部の遊技球と接触する部分に設けてもよい。この場合にも、第２球衝突部４６の下側部分を球滑り部４７とすることができる。なお、第２球衝突部４６は延出部６１間に介在するだけでもよいし、延出部６１に接着等で固定してもよい。
【００５１】
図１１〜図１３は本発明の第４の実施形態を例示する。この実施形態では、球衝突体３４は遊技球が略直角に衝突する第１衝突面５０を有する第１球衝突部４５と、上下方向の平坦な第２衝突面５３を有する第２球衝突部４６との全体がゴム等の弾性部材により一体に形成されている。
【００５２】
第２球衝突部４６の下部には、皮膜加工により球滑り部４７が設けられている。この球滑り部４７は金属メッキ等により形成されている。なお、球衝突体３４は受担壁３５に当接した状態で取り付け部４２に接着等により装着され、遊技盤１０と取り付け部４２との間で挟持されている。他の構成は第１の実施形態と同様である。
【００５３】
このように球衝突体３４は衝突面の向きが異なる第１球衝突部４５と第２球衝突部４６とをゴム等の弾性部材により一体に形成し、その第２球衝突部４６の下部に球滑り部４７を皮膜加工等により設けてもよい。この場合にも、球衝突体３４の下部の球滑り部４７の摩擦力が小さく滑り性がよいので、その下側での遊技球の噛み込みを防止できる。
【００５４】
なお、この実施形態では、第１球衝突部４５と第２球衝突部４６が一体であるため、その通孔５１に嵌合する突起４３と、嵌合孔５４に嵌合する取り付け用突起４４とにより球衝突体３４を支持し、飾り部材１２を遊技盤１０に装着したときに、その遊技盤１０と取り付け部４２との間で球衝突体３４を前後方向に挟持するようにしているが、他の実施形態と同様に挟持部４８を設けてもよい。
【００５５】
以上、本発明の各実施形態について詳述したが、本発明はこの各実施形態に限定されるものではなく、本発明の趣旨を逸脱しない範囲で種々の変更が可能である。例えば、球衝突体３４はその下部に球滑り部４７を備えたものであればよく、他の形状、構造は種々に変更が可能である。
【００５６】
また球滑り部４７は第１〜第３の実施形態に例示するように、剛性部材により構成された第２球衝突部４６の下部側に設けるのが望ましいが、第４の実施形態に例示するように弾性を有する第２球衝突部４６の下部に皮膜状に設けてもよい。勿論、第２球衝突部４６の下部に皮膜状に球滑り部４７を設ける場合には、第２球衝突部４６に使用する弾性材料は、その球滑り部４７の弾性変形による遊技球の噛み込みが生じない程度の固さを有するものであることが望ましい。球滑り部４７は球衝突体３４の下部に金属板をインサートして設けてもよい。
【００５７】
球衝突体３４は飾り部材１２の取り付け部４２の裏側に配置するのが望ましいが、飾り部材１２とは別の球衝突体３４用の支持具を介して遊技盤１０に取り付けるようにしてもよい。また球衝突体３４は衝突面が同一の材料により上下方向に平坦状に形成されたものでもよい。従って、球衝突体３４はその材質、形状等が異なる第１球衝突部４５、第２球球衝突部４６を備えていないものでもよい。
【００５８】
第１球衝突部４５の第１衝突面５０は、その弾性により遊技球の衝撃を吸収する上では、第１衝突面５０に対して遊技球が略直角に衝突するのが望ましいが、第１衝突面５０に対して遊技球が略直角に近い角度で衝突するようにしてもよい。また第２球衝突部４６の第２衝突面５３も、遊技球が略直角又は略直角に近い角度で衝突するようにしてもよい。その場合、第１衝突面５０と第２衝突面５３とを同一面上に設けてもよいし、第１衝突面５０と第２衝突面５３とを略平行に段違い状に設けてもよい。
【００５９】
飾り部材１２の取り付け部４２と遊技盤１０の前面に当接する挟持部４８との間で球衝突体３４を挟持する場合、挟持部４８と第２球衝突部４６とを別部材により構成して、ネジ４９による共締めにより挟持部４８と第２球衝突部４６とを取り付け部４２に固定してもよい。
【００６０】
また実施形態では、センターケース２１と球衝突体３４との間の球通過領域で遊技球が噛み込む場合を例示しているが、球衝突体３４との間で遊技球の噛み込みが問題となる対象は、画像表示手段１４に設けられたセンターケース２１に限定されるものではない。例えば、球衝突体３４の下側近傍に遊技釘、その他の突出部材があり、その遊技釘、その他の突出部材と球衝突体３４との間で遊技球の噛み込みが生じる場合にも同様に実施できる。従って、遊技部品は球衝突体３４の下側近傍で遊技盤１０の前面から前方に突出するものであればよい。
【００６１】
更に本発明はパチンコ機の他、アレンジボール機、その他の各種の弾球遊技機においても同様に実施可能であることは云うまでもない。
【符号の説明】
【００６２】
１０  遊技盤
１１  ガイドレール
１２  飾り部材
１３  遊技領域
２１  センターケース（遊技盤部品）
３４  球衝突体
４２  取り付け部
４３，５６  突起
４４  取り付け用突起
４５  第１球衝突部
４６  第２球衝突部
４７  球滑り部
４８  挟持部
４９  ネジ
５０  第１衝突面
５１  通孔
【図１】
2011045633.tif 000003
【図２】
2011045633.tif 000004
【図３】
2011045633.tif 000005
【図４】
2011045633.tif 000006
【図５】
2011045633.tif 000007
【図６】
2011045633.tif 000008
【図７】
2011045633.tif 000009
【図８】
2011045633.tif 000010
【図９】
2011045633.tif 000011
【図１０】
2011045633.tif 000012
【図１１】
2011045633.tif 000013
【図１２】
2011045633.tif 000014
【図１３】
2011045633.tif 000015